(57)【要約】      （修正有）【課題】高所作業を行うための作業用装置に関し、地面上を簡便に移動させることができる作業用装置及び該装置用ソリ装置を提供する。【解決手段】相互に交差するＸ方向とＹ方向に関して、作業天板のＹ方向の両端部に第１脚体と第２脚体を備えており、第１脚体と第２脚体は、Ｘ方向に離間して一対の脚柱を設けて成る作業台等の作業用装置において、少なくとも一方の脚体を構成する一対の脚柱５Ｒ，５Ｌの下端にソリ部材８を着脱自在に固着し、該ソリ部材を地面に接地させるように構成しており、ソリ部材８は、Ｙ方向に向けて地面から次第に上向きに傾斜する滑板部１０を備え、地面上を滑動するように構成されている。【選択図】図２
0003199275.tif 000002
【実用新案登録請求の範囲】
【請求項１】
相互に交差するＸ方向とＹ方向に関して、作業天板のＹ方向の両端部に第１脚体と第２脚体を備えており、第１脚体と第２脚体は、Ｘ方向に離間して一対の脚柱を設けて成る作業用装置において、
少なくとも一方の脚体を構成する一対の脚柱(5R,5L)の下端にソリ部材(8)を設け、該ソリ部材を地面に接地させるように構成しており、
前記ソリ部材(8)は、Ｙ方向に向けて地面から次第に上向きに傾斜する滑板部(10)を備えて成ることを特徴とする作業用装置。
【請求項２】
脚柱(5R,5L)の下端部にシュー(7)を外嵌した作業用装置において、
前記ソリ部材(8)は、前記シュー(7)の底面を支持する支持板部(9)と、該支持板部から延長されると共に延長方向に向けて次第に地面から上向きに湾曲する滑板部(10)と、前記支持板部から起立する保持部(11)を備えており、
前記保持部(11)を前記シュー(7)に着脱自在に固着して成ることを特徴とする請求項１に記載の作業用装置。
【請求項３】
前記ソリ部材(8)の保持部(11)は、前記Ｘ方向からシュー(7)の側面に添接されるブラケット部(12)と、該ブラケット部(12)の両側から折曲されることにより前記Ｙ方向からシュー(7)の両側面を掴持する保持爪部(13)(14)を備えており、
前記ブラケット部(12)をシュー(7)の側面に着脱自在に固着して成ることを特徴とする請求項２に記載の作業用装置。
【請求項４】
前記ソリ部材(8)は、前記シュー(7)の底面を支持する大きさの中央板部(9a)と、前記中央板部のＹ方向に延設された延長板部(10a)と、前記中央板部のＸ方向の側縁から延設された横板部(12a)と、該横板部の両側縁からＹ方向に延設された一対の爪板部(13a)(14a)を備えた１枚の金属板(8a)を折曲成形することにより形成されており、
前記延長板部(10a)を中央板部(9a)から延長方向に向けて上向きに湾曲させることにより前記滑板部(10)を形成し、前記横板部(12a)を中央板部から起立するように折曲することにより前記ブラケット部(12)を形成し、前記横板部により形成されたブラケット部から前記一対の爪板部(13a)(14a)を支持板部の上方に折曲することにより前記保持爪部(13)(14)を形成して成ることを特徴とする請求項３に記載の作業用装置。
【請求項５】
請求項１、２、３又は４に記載の作業用装置に関して、作業用装置の脚柱の下端部に着脱自在に取付けられるソリ部材から成ることを特徴とするソリ装置。
【考案の詳細な説明】
【技術分野】
【０００１】
本考案は、高所作業を行うための作業用装置に関し、地面上を簡便に移動させることができる作業用装置及び該装置用ソリ装置に関する。
【背景技術】
【０００２】
従来、折畳自在な可搬式作業台が提供されており、一般的に、作業台は、作業天板の両端部に第１脚体と第２脚体を備え、第１脚体と第２脚体は、左右に離間する一対の脚柱により梯子状の昇降手段を構成している。
【０００３】
ところで、作業者は、作業台を折畳状態から展開した状態で、前記昇降手段を介して作業天板に搭乗し、作業天板の上で高所作業を行うが、広い作業領域で連続作業を行う際には、特定個所での作業が終了すると、引き続き、作業台を次の個所に移動しながら作業を行うことになる。
【０００４】
このため、作業者は、特定個所の作業終了後、作業天板から降り、作業台を次の個所に移動することが必要となるが、作業台を展開した状態のままで移動させることは容易でない。
【０００５】
そこで、作業台の移動を容易に行わせるため、脚体にキャスターを設けた作業台が提案されている。
【先行技術文献】
【特許文献】
【０００６】
【特許文献１】特開２０１４−９５２１９号公報
【考案の概要】
【考案が解決しようとする課題】
【０００７】
作業台は、例えば、えんどう豆等の蔓科植物等の栽培を目的とする農作業のための高所作業を行う際にも使用されるところ、その場合、畦道等の作業通路に作業台を設置し、順次、作業を行いながら、作業通路に沿って作業台を移動することになる。
【０００８】
ところが、作業通路は、裸地面を露呈し、しかも、通常、荒れた路面に砂利等が散在しているため、作業台の脚柱を引き摺りながら移動させることが困難である。
【０００９】
この点に関して、脚体にキャスターを設けた作業台の場合は、比較的容易に移動させることは可能であるが、路面に設置して高所作業を行う際に、キャスターの接地面積が小さいため、路面とキャスターの間に砂利等が挟まれた場合、キャスターがずれ動きやすく不安定であり、しかも、キャスター機構は、高コストであるばかりでなく、汎用の作業台に簡便に後付け可能となるように構成することが困難であるという問題がある。
【００１０】
上記に鑑み、本考案は、畦道等の農作業用通路のような荒れた地面であっても安定した状態で設置することができ、しかも、作業の進行に応じて、作業者が１人で簡単容易に地面上を滑動させながら移動できるようにした作業台等の作業用装置及び該装置用ソリ装置を提供することを課題とする。
【課題を解決するための手段】
【００１１】
そこで、本考案の作業用装置が手段として構成したところは、相互に交差するＸ方向とＹ方向に関して、作業天板のＹ方向の両端部に第１脚体と第２脚体を備えており、第１脚体と第２脚体は、Ｘ方向に離間して一対の脚柱を設けて成る作業台において、少なくとも一方の脚体を構成する一対の脚柱の下端にソリ部材を設け、該ソリ部材を地面に接地させるように構成しており、前記ソリ部材は、Ｙ方向に向けて地面から次第に上向きに湾曲するソリ板部を備えて成る点にある。
【００１２】
好ましくは、脚柱の下端部にシューを外嵌した作業用装置において、前記ソリ部材は、前記シューの底面を支持する支持板部と、該支持板部から延長されると共に延長方向に向けて次第に地面から上向きに湾曲するソリ板部と、前記支持板部から起立する保持部を備えており、前記保持部を前記シューに着脱自在に固着している。
【００１３】
前記ソリ部材の保持部は、前記Ｘ方向からシューの側面に添接されるブラケット部と、該ブラケット部の両側から折曲されることにより前記Ｙ方向からシューの両側面を掴持する保持爪部を備え、前記ブラケット部をシューの側面に着脱自在に固着するように構成することが好ましい。
【００１４】
本考案の好ましい実施形態において、前記ソリ部材は、前記シューの底面を支持する大きさの中央板部と、前記中央板部のＹ方向に延設された延長板部と、前記中央板部のＸ方向の側縁から延設された横板部と、該横板部の両側縁からＹ方向に延設された一対の爪板部を備えた１枚の金属板を折曲成形することにより形成されており、前記延長板部を中央板部から延長方向に向けて上向きに湾曲させることにより前記滑板部を形成し、前記横板部を中央板部から起立するように折曲することにより前記ブラケット部を形成し、前記横板部により形成されたブラケット部から前記一対の爪板部を支持板部の上方に折曲することにより前記保持爪部を形成している。
【００１５】
本考案の作業台用装置のために提供されるソリ装置は、上記の構成において、作業台の脚柱の下端部に着脱自在に取付けられるソリ部材により構成されている。
【考案の効果】
【００１６】
請求項１に記載の本考案によれば、少なくとも一方の脚体３を構成する一対の脚柱５Ｒ、５Ｌの下端にソリ部材８を設け、該ソリ部材８を地面に接地させるように構成し、前記ソリ部材８は、脚柱５Ｒ、５ＬからＹ方向に向けて地面から次第に上向きに傾斜する滑板部１０を備えているので、高所作業を行う場合は、作業用装置１を安定した状態で設置することが可能であり、作業用装置１を移動する場合は、他方の脚体４を地面から浮かせるように持ち上げた状態で、前記ソリ部材８、８を地面に対して滑動させれば良く、簡単容易に作業用装置１を移動させることが可能となり、特に、畦道等の農作業用通路のような荒れた地面であっても、手軽に移動することができるという利点がある。
【００１７】
請求項２ないし請求項５に記載の本考案によれば、汎用製品とされた作業用装置１における脚柱の下端部に設けられたシュー７に対して、簡便に後付け可能としたソリ部材８を安価に提供することができる。
【図面の簡単な説明】
【００１８】
【図１】本考案の１実施形態に係るソリ部材を設けた作業用装置の１例を示す斜視図である。
【図２】作業用装置の脚柱とソリ部材を分解状態で示す斜視図である。
【図３】脚柱の下端部に外嵌されたシューとソリ部材の関係を分解状態で示す斜視図である。
【図４】脚柱とソリ部材の関係を分解状態で示す斜視図である。
【図５】ソリ部材の製造方法を示しており、（Ａ）は左側のソリ部材の製造方法を示す説明図、（Ｂ）は右側のソリ部材の製造方法を示す説明図である。
【図６】本考案の別の実施形態に係るソリ部材を示す斜視図である。
【考案を実施するための形態】
【００１９】
以下図面に基づいて本考案の好ましい実施形態を詳述する。
【００２０】
図１は、作業用装置の１例として、公知の汎用製品としての作業台１を示しており、相互に交差するＸ方向とＹ方向に関して、作業天板２のＹ方向の両端部Ｅ１、Ｅ２に第１脚体３と第２脚体４を備え、第１脚体３及び第２脚体４は、Ｘ方向に離間する左右一対の脚柱５Ｒ、５Ｌを設けると共に、両脚柱に踏桟６を架設することにより、梯子状の昇降手段を構成している。従って、作業者は、脚体３、４により構成された昇降手段を介して作業天板２に搭乗し、作業天板２の上で高所作業を行うことができる。
【００２１】
尚、本考案の作業用装置１は、作業台１に限らず、例えば、脚立等を含むものであり、要するに、作業天板２にそれぞれ左右脚柱５Ｒ、５Ｌを備えた第１脚体３と第２脚体４を設けており、地面に自立状態で作業者の高所作業を可能にするものであれば良い。
【００２２】
作業台１は、折畳自在に構成されており、図例の場合、第１脚体３及び第２脚体４を回動することにより作業天板２の下側に格納可能とするように構成されているが、それ以外の折畳構造により構成したものでも良い。
【００２３】
折畳状態から展開した使用状態において、前記第１脚体３及び第２脚体４を構成する左右一対の脚柱５Ｒ、５Ｌは、それぞれ上端から下端に向けてＸ方向及びＹ方向に外拡がり状に傾斜した状態で固定され、下端部にプラスチック等により形成されたシュー７を外嵌固着している。
【００２４】
そこで、前記第１脚体３と第２脚体４のうち、少なくとも一方の脚体（図示の場合、第１脚体３）を構成する左右一対の脚柱５Ｒ、５Ｌの下端部に外嵌されたシュー７には、ソリ部材８が装着され、該ソリ部材８を地面に接地させるように構成している。
【００２５】
従って、作業台１は、使用状態において、第１脚部３の脚柱５Ｒ、５Ｌの下端部に装着されたソリ部材８、８と、第２脚部４の脚柱５Ｒ、５Ｌの下端部のシュー７、７を地面に接地することにより、安定した状態で設置され、作業天板２の上で作業者が安全に高所作業を行うことができる。
【００２６】
そして、作業台１を移動する必要があるときは、作業者が作業天板２から地上に降り、図１に矢印で示すように、第２脚体４を地面から浮かせるように持ち上げた状態で、第１脚体３のソリ部材８、８を地面の上で滑動させれば良く、簡単容易に作業台１を移動させることができる。
【００２７】
前記ソリ部材８は、シュー７の底面を支持する支持板部９からＹ方向に滑板部１０、１０を延設しており、該滑板部１０は、Ｙ方向に向けて地面から次第に上向きに傾斜し、好ましくは、上向きに湾曲するように形成されている。この際、図示実施形態は、支持板部９のＹ方向の両側に一対の滑板部１０、１０を延設しているが、必ずしも一対を設ける必要はなく、Ｙ方向のうち、少なくとも当該脚柱５Ｒ、５Ｌの外側向き（図示のＹｙ方向）に前記滑板部１０を延設していれば良い。
【００２８】
図２ないし図４に示すように、ソリ部材８は、前記支持板部９から起立する保持部１１を設け、該保持部１１を前記シュー７に着脱自在に固着するように構成している。
【００２９】
前記保持部１１は、Ｘ方向からシュー７の片側の側面に添接されるブラケット部１２と、該ブラケット部１２の両側から折曲されることにより、Ｙ方向からシュー７の両側面を掴持する保持爪部１３、１４を備えている。従って、保持部１１は、ブラケット部１２と保持爪部１３、１４により断面コ字形に形成され、保持爪部１３、１４の先端部の間に開口部を形成している。そして、前記ブラケット部１２をシュー７の側面（図示の場合、脚柱５のＸ方向の外側に臨む側面）に対して固着手段１５により着脱自在に固着される。
【００３０】
この際、図３に示すように、Ｙ方向に関して、シュー７の幅Ｗ１と、前記保持爪１３、１４の間隔Ｗ２がほぼ等しくなるように形成することが好ましい。また、上述のように脚柱５とその下端部のシュー７は、作業天板２から外拡がり状に傾斜し、図４に示すように、シュー７の底面に沿うＹ軸とＸ軸に関して、それぞれ傾斜角度θＹ１（θＹ１＞９０度）と傾斜角度θＸ１（θＸ１＞９０度）を有しているので、ソリ部材８の保持部１１も、支持板部９に沿うＹ軸とＸ軸に関して、前記θＹ１及びθＸ１に沿う傾斜角度θＹ２及びθＸ２を有するように傾斜させられている。
【００３１】
このため、ソリ部材８をシュー７に装着する際、支持板部９をシュー７の底面に沿わせながら、前記開口部を介して保持爪部１３、１４の間にシュー７を嵌入させれば良く、装着作業が容易であり、保持爪部１３、１４によりシュー７の両側面を好適に掴持することができる。
【００３２】
前記固着手段１５は、図例の場合、ボルト１６とナット１７により構成されている。この際、汎用の作業台１には、嵌合した脚柱５の下端部とシュー７をＸ方向に貫通する挿通孔１８に挿着されるボルトとナットが設けられ、これによりシュー７を脚柱５の下端部に固着するように構成されているので、このような既設のボルト及びナットを利用することによりソリ部材８を固着することが可能である。
【００３３】
そこで、このような固着手段１５に対応して、ソリ部材８は、ブラケット部１２に通孔１９を開設し、該ブラケット部１２をシュー７の側面に添接した状態で、該通孔１９を介して前記ボルト１６及びナット１７により固着される。
【００３４】
しかしながら、固着手段１５は、必ずしも、既設のボルト及びナットを利用する構成に限定されるものではなく、ブラケット部１２に開設した前記通孔１９と前記挿通孔１８に挿着可能なピン等を用いても良く、その他、作業台１のシュー７に対してソリ部材８のブラケット部１２を着脱自在に後付け可能とするものであれば良い。
【００３５】
本考案の好ましい実施形態によれば、ソリ部材８は、１枚のアルミニウム等の金属板を折曲成形することにより、安価かつ簡単容易に形成することができる。図５に示すように、１枚の金属板８ａは、打抜き等により、シュー７の底面を支持する大きさの中央板部９ａと、前記中央板部９ａのＹ方向に延設された延長板部１０ａ、１０ａと、前記中央板部９ａのＸ方向の側縁から延設された横板部１２ａと、該横板部１２ａの両側縁からＹ方向に延設された一対の爪板部１３ａ、１４ａを形成し、前記横板部１２ａに通孔１９ａを開設している。
【００３６】
そこで、前記中央板部９ａをソリ部材８の支持板部９として、前記延長板部１０ａ、１０ａを該支持板部９（中央板部９ａ）から延長方向に向けて上向きに湾曲させることによりソリ部材８の滑板部１０、１０が形成される。また、前記横板部１２ａを支持板部９（中央板部９ａ）から起立するように折曲することによりソリ部材８のブラケット部１２が形成される。更に、前記ブラケット部１２（横板部１２ａ）から前記一対の爪板部１３ａ、１４ａを支持板部９の上方に折曲することによりソリ部材８の保持爪部１３、１４が形成される。
【００３７】
このようにして、１枚の金属板８ａに基づいて、上述の幅Ｗ２や、傾斜角度θＹ２及びθＸ２を有するソリ部材８を簡単容易に形成することが可能であり、安価に提供することができる。
【００３８】
図５（Ａ）（Ｂ）に示すように、打抜き等により左右対称形の金属板８ａ、８ａを形成し、前記折曲工程を経ることにより、左右の脚柱５Ｒ、５Ｌのシュー７に対応して装着できる左右のソリ部材８Ｒ、８Ｌが提供される。
【００３９】
上記実施形態は、左右の脚柱５Ｒ、５Ｌのシュー７に対して、それぞれソリ部材８、８を個別に装着する構成について説明したが、本考案は、図６に示すように、左右の脚柱５Ｒ、５Ｌに跨設される長尺とした１本のソリ部材８を構成しても良く、その場合、必要に応じて切欠き部２０を設け、作業者が脚体３により構成された昇降手段を昇降する際の妨げとならないように構成しても良い。
【符号の説明】
【００４０】
１  作業台（作業用装置）
２  作業天板
３  第１脚体
４  第２脚体
５Ｒ、５Ｌ  脚柱
６  踏桟
７  シュー
８  ソリ部材
９  支持板部
１０  滑板部
１１  保持部
１２  ブラケット部
１３、１４  保持爪部
１５  固着手段
１６  ボルト
１７  ナット
１８  挿通孔
１９  通孔
２０  切欠き部
【図１】
0003199275.tif 000003
【図２】
0003199275.tif 000004
【図３】
0003199275.tif 000005
【図４】
0003199275.tif 000006
【図５】
0003199275.tif 000007
【図６】
0003199275.tif 000008
【手続補正書】
【提出日】平成27年6月10日(2015.6.10)
【手続補正１】
【補正対象書類名】実用新案登録請求の範囲
【補正対象項目名】全文
【補正方法】変更
【補正の内容】
【実用新案登録請求の範囲】
【請求項１】
相互に交差するＸ方向とＹ方向に関して、Ｙ方向に対向する第１脚体と第２脚体を備えており、第１脚体と第２脚体は、Ｘ方向に離間して一対の脚柱を設けて成る作業用装置において、
少なくとも一方の脚体を構成する一対の脚柱(5R,5L)の下端にソリ部材(8)を設け、該ソリ部材を地面に接地させるように構成しており、
前記ソリ部材(8)は、Ｙ方向に向けて地面から次第に上向きに傾斜する滑板部(10)を備えて成ることを特徴とする作業用装置。
【請求項２】
脚柱(5R,5L)の下端部にシュー(7)を外嵌した作業用装置において、
前記ソリ部材(8)は、前記シュー(7)の底面を支持する支持板部(9)と、該支持板部から延長されると共に延長方向に向けて次第に地面から上向きに湾曲する滑板部(10)と、前記支持板部から起立する保持部(11)を備えており、
前記保持部(11)を前記シュー(7)に着脱自在に固着して成ることを特徴とする請求項１に記載の作業用装置。
【請求項３】
前記ソリ部材(8)の保持部(11)は、前記Ｘ方向からシュー(7)の側面に添接されるブラケット部(12)と、該ブラケット部(12)の両側から折曲されることにより前記Ｙ方向からシュー(7)の両側面を掴持する保持爪部(13)(14)を備えており、
前記ブラケット部(12)をシュー(7)の側面に着脱自在に固着して成ることを特徴とする請求項２に記載の作業用装置。
【請求項４】
前記ソリ部材(8)は、前記シュー(7)の底面を支持する大きさの中央板部(9a)と、前記中央板部のＹ方向に延設された延長板部(10a)と、前記中央板部のＸ方向の側縁から延設された横板部(12a)と、該横板部の両側縁からＹ方向に延設された一対の爪板部(13a)(14a)を備えた１枚の金属板(8a)を折曲成形することにより形成されており、
前記延長板部(10a)を中央板部(9a)から延長方向に向けて上向きに湾曲させることにより前記滑板部(10)を形成し、前記横板部(12a)を中央板部から起立するように折曲することにより前記ブラケット部(12)を形成し、前記横板部により形成されたブラケット部から前記一対の爪板部(13a)(14a)を支持板部の上方に折曲することにより前記保持爪部(13)(14)を形成して成ることを特徴とする請求項３に記載の作業用装置。
【請求項５】
請求項１、２、３又は４に記載の作業用装置に関して、作業用装置の脚柱の下端部に着脱自在に取付けられるソリ部材から成ることを特徴とするソリ装置。
【手続補正２】
【補正対象書類名】明細書
【補正対象項目名】００１１
【補正方法】変更
【補正の内容】
【００１１】
そこで、本考案の作業用装置が手段として構成したところは、相互に交差するＸ方向とＹ方向に関して、Ｙ方向に対向する第１脚体と第２脚体を備えており、第１脚体と第２脚体は、Ｘ方向に離間して一対の脚柱を設けて成る作業台において、少なくとも一方の脚体を構成する一対の脚柱の下端にソリ部材を設け、該ソリ部材を地面に接地させるように構成しており、前記ソリ部材は、Ｙ方向に向けて地面から次第に上向きに湾曲するソリ板部を備えて成る点にある。